(57)【特許請求の範囲】
【請求項１】
複数の移動局と、基地局と、前記複数の移動局と前記基地局とを中継する移動中継局と、前記複数の移動局の位置情報を管理する位置情報管理手段と、を含む通信処理システムであって、
前記移動中継局が、
トラッキングエリア間の前記移動中継局の移動を検出した後、所定期間を計時する計時手段と、
前記移動を報知する信号の前記移動中継局による送信に対して、前記所定期間の経過前に、前記位置情報管理手段への位置登録を要求する位置登録要求信号を前記複数の移動局のいずれかの移動局から受信した場合に、前記位置登録要求信号の送信元の位置登録要求移動局を、前記移動中継局の配下にある移動局として登録する移動局登録手段と、
を備えることを特徴とする通信処理システム。
【請求項２】
前記移動中継局は、
前記移動を報知する信号の送信後、前記位置登録要求移動局から前記位置登録要求信号を受信してバッファリングするバッファ手段と、
前記位置登録要求移動局が複数存在する場合に、前記バッファ手段にバッファリングされた複数の前記位置登録要求信号を１つの位置登録要求メッセージにまとめて、前記位置情報管理手段に送信する位置登録要求メッセージ送信手段と、
をさらに備えることを特徴とする請求項１に記載の通信処理システム。
【請求項３】
前記移動中継局は、
前記位置登録要求移動局が複数存在する場合に、前記位置登録要求移動局を識別する識別子を複数含み、前記移動中継局の位置の登録を要求する位置登録要求メッセージを生成するメッセージ生成手段と、
トラッキングエリア間の前記移動中継局の次の移動を検出した後、前記位置登録要求メッセージを前記位置情報管理手段に送信する位置登録要求メッセージ送信手段と、
をさらに備えることを特徴とする請求項１に記載の通信処理システム。
【請求項４】
前記位置情報管理手段は、前記移動中継局からの前記位置登録要求メッセージに応答し、複数の前記位置登録要求移動局に対する位置登録処理が終了した順に位置登録情報メッセージを前記位置登録要求移動局に送信する位置登録情報メッセージ送信手段を備えることを特徴とする請求項２または３に記載の通信処理システム。
【請求項５】
前記位置情報管理手段から前記位置登録要求移動局への前記位置登録情報メッセージとして、３ＧＰＰのＴＳ３６．４１３に規定されたＤＯＷＮＬＩＮＫ＿ＮＡＳ＿ＴＲＡＮＳＰＯＲＴメッセージを使用することを特徴とする請求項４に記載の通信処理システム。
【請求項６】
前記移動中継局から前記位置情報管理手段への前記位置登録要求メッセージとして、３ＧＰＰのＴＳ３６．４１３に規定されたＵＰＬＩＮＫ＿ＮＡＳ＿ＴＲＡＮＳＰＯＲＴメッセージを使用することを特徴とする請求項２乃至５のいずれか１項に記載の通信処理システム。
【請求項７】
複数の移動局と、基地局と、前記複数の移動局と前記基地局とを中継する移動中継局と、前記複数の移動局の位置情報を管理する位置情報管理手段と、を含む通信処理システムにおける位置登録方法であって、
前記移動中継局が、トラッキングエリア間の前記移動中継局の移動を検出した後、所定期間を計時する計時ステップと、
前記移動中継局が、前記移動を報知する信号の前記移動中継局による送信に対して、前記所定期間の経過前に、前記位置情報管理手段への位置登録を要求する位置登録要求信号を前記複数の移動局のいずれかの移動局から受信した場合に、前記位置登録要求信号の送信元の位置登録要求移動局を、前記移動中継局の配下にある移動局として登録する移動局登録ステップと、
前記移動中継局が、前記位置登録要求移動局が複数存在する場合に、複数の前記位置登録要求移動局から受信した複数の前記位置登録要求信号を、１つの位置登録要求メッセージで前記位置情報管理手段に送信する送信ステップと、
を含むことを特徴とする位置登録方法。
【請求項８】
複数の移動局と基地局とを中継する移動中継局であって、
トラッキングエリア間の前記移動中継局の移動を検出した後、所定期間を計時する計時手段と、
前記移動を報知する信号の前記移動中継局による送信に対して、前記所定期間の経過前に、前記位置情報管理手段への位置登録を要求する位置登録要求信号を前記複数の移動局のいずれかの移動局から受信した場合に、前記位置登録要求信号の送信元の位置登録要求移動局を、前記移動中継局の配下にある移動局として登録する移動局登録手段と、
を備えることを特徴とする移動中継局。
【請求項９】
複数の移動局と基地局とを中継する移動中継局の制御方法であって、
トラッキングエリア間の前記移動中継局の移動を検出した後、所定期間を計時する計時ステップと、
前記移動を報知する信号の前記移動中継局による送信に対して、前記所定期間の経過前に、前記位置情報管理手段への位置登録を要求する位置登録要求信号を前記複数の移動局のいずれかの移動局から受信した場合に、前記位置登録要求信号の送信元の位置登録要求移動局を、前記移動中継局の配下にある移動局として登録する移動局登録ステップと、
を含むことを特徴とする移動中継局の制御方法。
【請求項１０】
移動局と基地局とを中継する移動中継局の制御プログラムであって、
トラッキングエリア間の前記移動中継局の移動を検出した後、所定期間を計時する計時ステップと、
前記移動を報知する信号の前記移動中継局による送信に対して、前記所定期間の経過前に、前記位置情報管理手段への位置登録を要求する位置登録要求信号を前記複数の移動局のいずれかの移動局から受信した場合に、前記位置登録要求信号の送信元の位置登録要求移動局を、前記移動中継局の配下にある移動局として登録する移動局登録ステップと、
をコンピュータに実行させることを特徴とする移動中継局の制御プログラム。
【発明の詳細な説明】
【技術分野】
【０００１】
本発明は、移動体通信システムにおける位置登録の技術に関する。
【背景技術】
【０００２】
上記位置登録の技術分野において、特許文献１に示されているように、移動基地局が携帯端末から受信した位置登録要求をまとめて位置情報管理サーバへ報告する技術が知られている。また、特許文献２に示されているように、移動体に設置された中継装置が、自己の識別番号と共に従属する総ての移動通信端末の識別番号を位置情報管理に送ることで、一括して位置登録エリア情報を更新する技術が知られている。
【先行技術文献】
【特許文献】
【０００３】
【特許文献１】特開２００４−３０４３５１号公報
【特許文献２】特開２００６−１５７９５７号公報
【発明の概要】
【発明が解決しようとする課題】
【０００４】
しかしながら、上記従来技術では、移動体中に配置されて、移動端末と位置情報管理装置との間を中継する移動中継局（特許文献１の移動基地局、特許文献２の中継装置）が登録する配下の移動端末は、ほとんど固定である。たとえば、特許文献１においては、移動基地局への移動端末の登録は移動基地局ＩＤを受信した場合に行なわれる。しかし、他の基地局配下への移動が確認されない限り、移動端末の状態が変わっても移動基地局の配下であり続ける。一方、特許文献２においては、移動端末の状態が変わっていても、中継装置はあらかじめ配下にあると登録されている移動端末の総ての位置登録要求を行なう。したがって、移動中継局が移動端末の電源ＯＦＦや中継局配下からの短時間の出入りなどに即応できずに、不必要な処理を行なってしまうため、通信データ量が増えて上位局の負荷を増大させてしまう。
【０００５】
本発明の目的は、上述の課題を解決する技術を提供することにある。
【課題を解決するための手段】
【０００６】
上記目的を達成するため、本発明に係るシステムは、
複数の移動局と、基地局と、前記複数の移動局と前記基地局とを中継する移動中継局と、前記複数の移動局の位置情報を管理する位置情報管理手段と、を含む通信処理システムであって、
前記移動中継局が、
トラッキングエリア間の前記移動中継局の移動を検出した後、所定期間を計時する計時手段と、
前記移動を報知する信号の前記移動中継局による送信に対して、前記所定期間の経過前に、前記位置情報管理手段への位置登録を要求する位置登録要求信号を前記複数の移動局のいずれかの移動局から受信した場合に、前記位置登録要求信号の送信元の位置登録要求移動局を、前記移動中継局の配下にある移動局として登録する移動局登録手段と、
を備えることを特徴とする。
【０００７】
上記目的を達成するため、本発明に係る方法は、
複数の移動局と、基地局と、前記複数の移動局と前記基地局とを中継する移動中継局と、前記複数の移動局の位置情報を管理する位置情報管理手段と、を含む通信処理システムにおける位置登録方法であって、
前記移動中継局が、トラッキングエリア間の前記移動中継局の移動を検出した後、所定期間を計時する計時ステップと、
前記移動中継局が、前記移動を報知する信号の前記移動中継局による送信に対して、前記所定期間の経過前に、前記位置情報管理手段への位置登録を要求する位置登録要求信号を前記複数の移動局のいずれかの移動局から受信した場合に、前記位置登録要求信号の送信元の位置登録要求移動局を、前記移動中継局の配下にある移動局として登録する移動局登録ステップと、
前記移動中継局が、前記位置登録要求移動局が複数存在する場合に、複数の前記位置登録要求移動局から受信した複数の前記位置登録要求信号を、１つの位置登録要求メッセージで前記位置情報管理手段に送信する送信ステップと、
を含むことを特徴とする。
【０００８】
上記目的を達成するため、本発明に係る装置は、
複数の移動局と基地局とを中継する移動中継局であって、
トラッキングエリア間の前記移動中継局の移動を検出した後、所定期間を計時する計時手段と、
前記移動を報知する信号の前記移動中継局による送信に対して、前記所定期間の経過前に、前記位置情報管理手段への位置登録を要求する位置登録要求信号を前記複数の移動局のいずれかの移動局から受信した場合に、前記位置登録要求信号の送信元の位置登録要求移動局を、前記移動中継局の配下にある移動局として登録する移動局登録手段と、
を備えることを特徴とする。
【０００９】
上記目的を達成するため、本発明に係る方法は、
複数の移動局と基地局とを中継する移動中継局の制御方法であって、
トラッキングエリア間の前記移動中継局の移動を検出した後、所定期間を計時する計時ステップと、
前記移動を報知する信号の前記移動中継局による送信に対して、前記所定期間の経過前に、前記位置情報管理手段への位置登録を要求する位置登録要求信号を前記複数の移動局のいずれかの移動局から受信した場合に、前記位置登録要求信号の送信元の位置登録要求移動局を、前記移動中継局の配下にある移動局として登録する移動局登録ステップと、
を含むことを特徴とする。
【００１０】
上記目的を達成するため、本発明に係るプログラムは、
移動局と基地局とを中継する移動中継局の制御プログラムであって、
トラッキングエリア間の前記移動中継局の移動を検出した後、所定期間を計時する計時ステップと、
前記移動を報知する信号の前記移動中継局による送信に対して、前記所定期間の経過前に、前記位置情報管理手段への位置登録を要求する位置登録要求信号を前記複数の移動局のいずれかの移動局から受信した場合に、前記位置登録要求信号の送信元の位置登録要求移動局を、前記移動中継局の配下にある移動局として登録する移動局登録ステップと、
をコンピュータに実行させることを特徴とする。
【発明の効果】
【００１１】
本発明によれば、移動中継局が移動端末の変化に即応することで不必要な処理をしないので、通信データ量を削減して上位局の負荷を抑えることができる。
【図面の簡単な説明】
【００１２】
【図１】本発明の第１実施形態に係る通信処理システムの構成を示すブロック図である。
【図２Ａ】本発明の第２実施形態に係る通信処理システムの処理の概要を示す図である。
【図２Ｂ】本発明の第２実施形態に係る通信処理システムの構成を示すブロック図である。
【図３】本発明の第２実施形態に係る通信処理システムの動作手順を示すシーケンス図である。
【図４】本発明の第２実施形態に係るアップリンクの位置登録要求メッセージの構成を示す図である。
【図５】本発明の第２実施形態に係るダウンリンクの位置登録情報メッセージの構成を示す図である。
【図６】本発明の第２実施形態に係る移動中継局の機能構成を示すブロック図である。
【図７】本発明の第２実施形態に係る移動中継局のハードウェア構成を示すブロック図である。
【図８】本発明の第２実施形態に係る移動中継局の処理手順を示すフローチャートである。
【図９】本発明の第２実施形態に係る位置情報管理ノードの機能構成を示すブロック図である。
【図１０】本発明の第２実施形態に係る位置情報管理ノードのハードウェア構成を示すブロック図である。
【図１１】本発明の第２実施形態に係る位置情報管理ノードの処理手順を示すフローチャートである。
【図１２】本発明の第３実施形態に係る通信処理システムの動作手順を示すシーケンス図である。
【図１３】本発明の第３実施形態に係る移動中継局の処理手順を示すフローチャートである。
【図１４】本発明の第４実施形態に係る通信処理システムの動作手順を示すシーケンス図である。
【図１５】本発明の第４実施形態に係るダウンリンクの位置登録情報メッセージの構成を示す図である。
【発明を実施するための形態】
【００１３】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１４】
［第１実施形態］
本発明の第１実施形態としての通信処理システム１００について、図１を用いて説明する。通信処理システム１００は、移動局１１１〜１１３と、基地局１２１〜１２４と、移動局１１１〜１１３と基地局１２１〜１２４とを中継する移動中継局１３０とを含むシステムである。
【００１５】
図１に示すように、通信処理システム１００の移動中継局１３０が、計時部１３１と、移動局登録部１３２と、を含む。計時部１３１は、移動中継局１３０がトラッキングエリア（１２０−１、１２０−２）間を移動したことを検出してから所定期間を計時する。移動局登録部１３２は、所定期間内に移動中継局１３０が受信した、位置情報を管理する位置情報管理手段１５０への位置登録要求信号１４０の送信元の移動局１１２、１１３を、移動中継局１３０の配下にあるとして登録する。
【００１６】
本実施形態によれば、移動中継局が移動端末の変化に即応することで不必要な位置登録処理をしないので、通信データ量を削減して上位局の負荷を抑えることができる。
【００１７】
［第２実施形態］
次に、本発明の第２実施形態に係る通信処理システムについて説明する。本実施形態においては、移動体である車両中に設置された移動中継局がトラッキングエリア（以下、ＴＡ：Tracking Area）間を移動している際に行なわれる、移動局から移動中継局への位置登録要求メッセージの処理を説明する。本実施形態では、移動中継局のＴＡ移動後の所定期間内に位置登録要求メッセージを送信した移動局を、移動中継局配下の移動局として登録更新する。同時に、所定期間内の複数の位置登録要求メッセージを１つの位置登録メッセージにまとめて、その１つの位置登録メッセージを用いて、位置登録ノードに位置登録を要求する。本実施形態によれば、移動中継局が移動局の変化に即応するので不必要な位置登録処理を削減できる。また、位置登録要求信号を１つの位置登録要求メッセージにまとめて送信するので、通信データ量を削減してさらに上位局の負荷を抑えることができる。
【００１８】
《通信処理システムの構成》
図２Ａは、本実施形態に係る通信処理システム２００の処理の概要を示す図である。
【００１９】
図２Ａにおいて、移動中継局（以下、ＲＮ(Relay Node)）２３０は、移動する列車２５０内に配置されている。列車２５０の移動に従って、ＲＮ２３０は配下の移動局（以下、ＵＥ(User Equipment)）と共に、ＴＡを移動する。図２Ａでは、ＴＡ＃１からＴＡ＃ｎに順に移動する。各ＴＡは、複数の基地局（以下、ｅＮＢ(Evolved-UTRAN NodeB)）により制御される範囲である。また、複数の基地局ｅＮＢに接続されて位置情報の管理や認証などの処理を行なうノードである位置情報管理ノード（以下、ＭＭＥ(Mobility management Entity)）が配置されている。なお、図２Ａにおいては、ＭＭＥとＴＡとが対応するように図示されているが、１つのＭＭＥが複数のＴＡを管理してもよい。
【００２０】
図２Ａにおいては、ＵＥ２１１〜２１５を想定している。そして、列車２５０の進行につれてＲＮ２３０およびＵＥがＴＡを移動する。その場合の、ＲＮ２３０の配下のＵＥの登録の変化を、配下のＵＥ識別子（ＵＥＩＤ）により示している。
【００２１】
まず、ＴＡ＃１においては、ＵＥ２１１，２１２，２１５の携帯電話がＲＮ２３０の配下であると登録されている。ＴＡ＃１からＴＡ＃２に移動した場合に、電源ＯＦＦや圏外への移動などでＵＥ２１２からの位置登録要求メッセージは、ＲＮ２３０では受信されない。そして、ＵＥ２１４であるノート型のパーソバルコンピュータ（ノートパソコン）からは電源ＯＮやインターネットアクセス等で位置登録要求メッセージがＲＮ２３０で受信される。その結果、ＴＡ＃２において、ＲＮ２３０の配下の移動局としてはＵＥ２１１，２１５，２１４が登録される。
【００２２】
さらに、ＴＡ＃ｎ−１に移動すると、電源ＯＦＦや圏外への移動などでＵＥ２１５からの位置登録要求メッセージがＲＮ２３０で受信されない。一方、ＵＥ２１３であるスマートフォンが電源ＯＮされ、位置登録要求メッセージがＲＮ２３０で受信される。したがって、ＲＮ２３０の配下の移動局としてはＵＥ２１３，２１４が登録される。そして、ＴＡ＃ｎに移動すると、ＵＥ２１４は電源ＯＦＦされ、ＵＥ２１２が圏外から戻ってくる。その結果、ＲＮ２３０で受信した位置登録要求メッセージの受信に基づいて、ＵＥ２１３，２１２が登録される。
【００２３】
以上のように、ＲＮ２３０が配下にあると登録するＵＥは、ＴＡの移動ごとに、ＵＥからＭＭＥに向けた位置登録要求メッセージの送信が有ったか否か（ＲＮ２３０で受信が有ったか否か）に対応して、ダイナミックに更新される。したがって、現在配下にいない、あるいは処理を必要としないＵＥに対するサービスのための不必要な通信を排除することができ、通信資源の有効利用とＭＭＥの負荷低減が実現する。
【００２４】
図２Ｂは、本実施形態に係る通信処理システム２００の構成を示すブロック図である。図２Ｂには、ＴＡ＃１（２２０−１）からＴＡ＃２（２２０−２）への移動において、位置登録処理の動作を図示している。
【００２５】
ＲＮ２３０とＵＥ２１１および２１２とのＴＡ＃１からＴＡ＃２への移動によって、ｅＮＢ＃１（２２１）およびＭＭＥ＃１（２４１）の配下からｅＮＢ＃２（２２２）およびＭＭＥ＃１（２４２）の配下に移る。ＵＥ２１１および２１２、新たにＲＮ＃１の配下に入ったＵＥ２１３は、ｅＮＢ＃２からのシステム報知信号（３ＧＰＰ（Third Generation Partnership Project）標準ＴＳ３６．４１３参照）によりＴＡ移動を検出し、新たなＴＡ＃２に対して位置登録要求メッセージを送信する。ＲＮ＃１は、それらの位置登録要求を所定期間蓄積し、所定時間後にまとめてｅＮＢ＃２を介してＭＭＥ＃２に位置登録要求を行なう。
【００２６】
ＭＭＥ＃２においては、まとめて要求された位置登録を開始した後、位置登録処理が完了した順にＵＥ別に位置登録済みを通知する位置登録情報メッセージを各ＵＥに返信する。
【００２７】
《通信処理システムの動作手順》
図３は、本実施形態に係る通信処理システム２００の動作手順３００を示すシーケンス図である。図３は、図２Ｂに示したデータの流れを示したものである。このシーケンス図は、３ＧＰＰ標準であるＴＳ２３．４０１の５．３．３．１章「Tracking Area Update procedure with Serving GW change」をベースにして、ＲＮ２３０および本実施形態の特徴を加えた簡易版である。図３においては、図２Ｂと同様に、ＲＮ＃１がＭＭＥ＃１／ｅＮＢ＃１のエリアからＭＭＥ＃２／ｅＮＢ＃２のエリアへ移動したものと仮定する。
【００２８】
まず、ステップＳ３０１において、ＲＮ＃１は、ｅＮＢ＃２のシステム報知情報から新ＴＡ＃２に移動したことを検出すると、位置登録タイマをスタートする。そして、ＲＮ＃１は、新ＴＡ＃２の情報（ＭＭＥ＃２のＴＡ情報）を配下の移動局に対して報知する。ＲＮ＃１の配下の各ＵＥ２１１〜２１３は、ＲＮ＃１から報知されるシステム情報を受信し、新ＴＡ＃２を検出した場合は位置登録要求信号をＲＮ＃１へ送信する。例えば、ステップＳ３０３においてはＵＥ２１３が位置登録要求信号を送信し、ステップＳ３０５においてはＵＥ２１２が位置登録要求信号を送信し、ステップＳ３０７においてはＵＥ２１１が位置登録要求信号を送信する。
【００２９】
ＲＮ＃１は配下に複数のＵＥが存在しているかどうか知る確定な情報がないため、位置登録タイマの動作中のＵＥからの位置登録要求信号をバッファリングする。同時に、位置登録要求信号を送信した送信元のＵＥＩＤを、現在ＲＮ＃１の配下に有るＵＥとして記憶する。ステップＳ３０９においてＲＮ＃１のタイマがタイムアウトすると、ステップＳ３１１において、ＲＮ＃１はバッファリングしていた複数のＵＥ２１１〜２１３からの位置登録要求信号を１つの位置登録要求メッセージとして、ｅＮＢ＃２経由でＭＭＥ＃２へ送信する。つまり、ＲＮ＃１は配下の複数のＵＥからの位置登録信号をまとめてＭＭＥ＃２へ送信する。ＲＮ＃１はまとめて複数のＵＥからの位置登録信号をＭＭＥ＃２へ送信するため、ＭＭＥ＃２の負荷軽減と安定的なＵＥの位置登録処理ができる。
【００３０】
そして、ステップＳ３１３においては、記憶してきたＵＥＩＤをＲＮ＃１の配下のＵＥを示す情報として登録する。そして、次のＴＡ移動までの間、ＲＮ＃１の処理においては、ステップＳ３１３において登録したＵＥＩＤを配下のＵＥを示す情報として使用する。
【００３１】
ＵＥからの位置登録要求信号をまとめた位置登録要求メッセージをＲＮ＃１からｅＮＢ＃２経由で受信したＭＭＥ＃２は、ＭＭＥ＃１や他のＭＭＥに対してＵＥごとにＵＥ状態(Context)を要求する。図３においては、ステップＳ３１５においてＵＥ２１３のContextを他のＭＭＥに要求する。また、ステップＳ３１７およびＳ３１９においては、それぞれＵＥ２１２とＵＥ２１１のContextをＭＭＥ＃１に要求する。
【００３２】
ＭＭＥ＃２が各ＵＥのContext応答を受信し、位置登録処理を完了すると、位置登録要求受付信号を位置登録情報メッセージによりＲＮ＃１配下の各ＵＥへ完了順に個別に送信する。例えば、ステップＳ３２１においてＵＥ２１２のContext応答があってＭＭＥ＃２の位置登録処理が完了すると、ステップＳ３２３においてＵＥ２１２を宛先とする位置登録情報メッセージがｅＮＢ＃２およびＲＮ＃１経由で送信される。次に、ステップＳ３２５においてＵＥ２１３のContext応答があってＭＭＥ＃２の位置登録処理が完了すると、ステップＳ３２７においてＵＥ２１３を宛先とする位置登録情報メッセージがｅＮＢ＃２およびＲＮ＃１経由で送信される。最後に、ステップＳ３２９においてＵＥ２１１のContext応答があってＭＭＥ＃２の位置登録処理が完了すると、ステップＳ３３１においてＵＥ２１１を宛先とする位置登録情報メッセージがｅＮＢ＃２およびＲＮ＃１経由で送信される。
【００３３】
この個別ＵＥへの位置登録要求受付信号の送信は、ある程度位置登録処理手順を早く終わらせるためである。すなわち、複数のＵＥに対する処理が完了するのを待ってから位置登録要求受付信号をまとめて送るより、個別のＵＥに対する処理が完了した時点で位置登録要求受付信号を送った方が、各ＵＥからみれば位置登録処理が早く完了に繋がるためである。また、位置登録要求受付信号はＭＭＥ＃２が送信する側であるため、送信するバッファが輻輳する（溢れる）ことのないように自ら制御することができるためでもある。
【００３４】
《送受信メッセージのフォーマット》
図３における、ＲＮ＃１からＭＭＥ＃２への位置登録要求メッセージや、ＭＭＥ＃２から各ＵＥへの位置登録情報メッセージは、３ＧＰＰ標準であるＴＳ３６．４１３に規定済みの次のメッセージが使用される。すなわち、ＭＭＥとＵＥとの間のＮＡＳ(Non Access Stratum)プロトコルで使用される、ＵＰＬＩＮＫ  ＮＡＳ  ＴＲＡＮＳＰＯＲＴメッセージと、ＤＯＷＮＬＩＮＫ  ＮＡＳ  ＴＲＡＮＳＰＯＲＴメッセージとである。以下にそのメッセージの本実施形態でのフォーマットを示す。
【００３５】
なお、使用するメッセージは、ＮＡＳプロトコルのメッセージに限定されない。例えば、
・Initial UEメッセージ、
・S1 SETUP REQUESTメッセージ、
・ENB CONFIGURATION UPDATEメッセージ、
・UE CAPABILITY INFO INDICATIONメッセージ、
などを使用しても実現可能である。
【００３６】
（位置登録要求メッセージ）
図４は、本実施形態に係るアップリンクの位置登録要求メッセージ４００の構成を示す図である。
【００３７】
図４は、３ＧＰＰ標準であるＴＳ３６．４１３に規定済みのＵＰＬＩＮＫ  ＮＡＳ  ＴＲＡＮＳＰＯＲＴメッセージにさらにＮＡＳ−ＰＤＵ(Protocol Data Unit)のリスト(NAS-PDUList）４０１を追加したものである。４０２はＮＡＳ−ＰＤＵのリスト４０１の“Ｒａｎｇｅ”の値“maxnoofNAS-PDUs”の定義である。
【００３８】
（位置登録情報メッセージ）
図５は、本実施形態に係るダウンリンクの位置登録情報メッセージ５００の構成を示す図である。
【００３９】
各ＵＥに個別に送信される位置登録情報メッセージ５００は、３ＧＰＰ標準であるＴＳ３６．４１３に規定済みのＤＯＷＮＬＩＮＫ  ＮＡＳ  ＴＲＡＮＳＰＯＲＴメッセージが使用できる。
【００４０】
《移動中継局の構成》
次に、本実施形態の移動中継局（ＲＮ）の構成について説明する。
【００４１】
（機能構成）
図６は、本実施形態に係る移動中継局（ＲＮ）２３０の機能構成を示すブロック図である。
【００４２】
図６において、６０１は、ｅＮＢおよびＵＥとの通信を制御する通信制御部である。まず、通信制御部６０１でｅＮＢから受信したシステム報知情報からは、ＴＡＩ抽出部６０２によりＴＡＩ(Tracking Area Identity)を抽出する。抽出したＴＡＩは、ＴＡ移動判定部６０４においてＴＡＩ記憶部６０３が記憶する今までのＴＡＩと比較され、ＲＮがＴＡ間を移動したかを判別する。ＴＡ移動判定部６０４がＲＮのＴＡ間移動を判定すると、タイマ６０５が計時を開始する。
【００４３】
一方、位置登録要求信号抽出部６０６は、通信制御部６０１でＵＥから受信した、ＴＡ間移動したＵＥからのＭＭＥへの位置登録要求信号を抽出する。そして、位置登録要求信号抽出部６０６は、位置登録要求信号の送信元のＵＥを識別するＵＥＩＤをＵＥ登録部６０７に送ると共に、ＵＥＩＤと位置登録要求信号とを対応付けて位置登録要求信号バッファ６０８に送る。ＵＥ登録部６０７は位置登録要求信号の送信元のＵＥを順次記憶し、位置登録要求信号バッファ６０８はＵＥＩＤと位置登録要求信号とを対応付けてバッファリングする。この処理は、タイマ６０５がタイムアウトするまで継続される。
【００４４】
タイマ６０５が所定時間を計時してタイムアウトすると、ＵＥ登録部６０７にＵＥＩＤの記憶、および位置登録要求信号バッファ６０８のＵＥＩＤと位置登録要求信号とのバッファリングを停止する。そして、位置登録要求メッセージ生成部６０９は、位置登録要求信号バッファ６０８にバッファされた位置登録要求信号をまとめて送信するため、図４のような１つの位置登録要求メッセージを生成する。位置登録要求メッセージ送信部６１０は、位置登録要求メッセージ生成部６０９が生成した、バッファされた位置登録要求信号をまとめて送信する位置登録要求メッセージを送信する。
【００４５】
位置登録情報メッセージ中継部６１１は、ｅＮＢ経由でＭＭＥから受信した各ＵＥに個別の位置登録情報メッセージに基づいて、位置登録要求受付信号を指定先のＵＥに送信する。
【００４６】
（ハードウェア構成）
図７は、本実施形態に係る移動中継局（ＲＮ）２３０のハードウェア構成を示すブロック図である。
【００４７】
図７で、ＣＰＵ７１０は演算制御用のプロセッサであり、プログラムを実行することで図３の各機能構成部を実現する。ＲＯＭ７２０は、初期データおよびプログラムなどの固定データおよびプログラムを記憶する。通信制御部６０１は、ＵＥまたはｅＮＢと通信する。
【００４８】
ＲＡＭ７４０は、ＣＰＵ７１０が一時記憶のワークエリアとして使用するランダムアクセスメモリである。ＲＡＭ７４０には、本実施形態の実現に必要なデータを記憶する領域が確保されている。７４１は、通信制御部７０１を介してＵＥまたはｅＮＢから受信した受信メッセージである。７４２は、ｅＮＢから受信した受信メッセージであるシステム報知情報から抽出したＴＡＩである。７４３は、抽出したＴＡＩ７４２とＴＡＩ記憶部６０３のＴＡＩとの比較からＴＡ移動を判定した場合にセットされるＴＡ移動フラグである。６０５はタイマ、６０８は位置登録要求信号バッファである。７４４は、位置登録要求信号バッファ６０８の位置登録要求信号をまとめて生成される送信用位置登録要求メッセージである。７４５は、ｅＮＢ経由でＭＭＥから受信した位置登録情報メッセージである。７４６は、位置登録情報メッセージに基づいてＵＥに送信する位置登録要求受付信号である。
【００４９】
ストレージ７５０は、データベースや各種のパラメータ、あるいは本実施形態の実現に必要な以下のデータまたはプログラムが記憶されている。６０３はＴＡＩ記憶部であり、６０７はＵＥ登録部である。ストレージ７５０には、以下のプログラムが格納される。７５１は、全体の処理を実行させる通信処理プログラムである。７５２は、通信処理プログラム７５１において、ＲＮ配下のＵＥを登録するＵＥ登録モジュールである。７５３は、通信処理プログラム７５１において、位置登録要求を制御する位置登録要求制御モジュールである。
【００５０】
なお、図７には、本実施形態に必須なデータやプログラムのみが示されており、ＯＳなどの汎用のデータやプログラムは図示されていない。
【００５１】
《移動中継局の処理手順》
図８は、本実施形態に係る移動中継局（ＲＮ）２３０の処理手順を示すフローチャートである。このフローチャートは、図７のＣＰＵ７１０がＲＡＭ７４０を使用しながら実行することで、図６の各機能構成部を実現する。
【００５２】
まず、ステップＳ８１１において、ＴＡ移動か否かを判定する。また、ステップＳ８２１において、ＵＥからの位置登録要求信号の受信か否かを判定する。また、ステップＳ８４１において、ｅＮＢ経由のＭＭＥからの位置登録情報メッセージか否かを判定する。
【００５３】
ＴＡ移動と判定されるとステップＳ８１３に進んで、タイマ６０５をスタートさせる。
【００５４】
ＵＥからの位置登録要求信号の受信と判定されるとステップＳ８２３に進んで、タイマ６０５のタイムアウトか否かを判定する。タイムアウトでなければステップＳ８２５に進んで、ＵＥＩＤを記憶する。次に、ＵＥからの位置登録要求信号をＵＥＩＤに対応付けてバッファする。タイムアウトであればステップＳ８２９に進んで、タイムアウトの間に記憶されたＵＥＩＤのＵＥを配下として登録保持する。次に、ステップＳ８３１において、バッファしている位置登録要求信号から１つの位置登録要求メッセージを生成する。そして、ステップＳ８３３において、１つの位置登録要求メッセージをｅＮＢ経由でＭＭＥに送信する。
【００５５】
ｅＮＢ経由のＭＭＥからの位置登録情報メッセージであればステップＳ８４３に進んで、位置登録要求受付信号を指定された個別のＵＥに送信する。
【００５６】
《位置情報管理ノードの構成》
次に、本実施形態の位置情報管理ノード（ＭＭＥ）の構成について説明する。
【００５７】
（機能構成）
図９は、本実施形態に係る位置登録ノード（ＭＭＥ）２４０の機能構成を示すブロック図である。
【００５８】
図９において、９０１は、ｅＮＢおよび他のＭＭＥとの通信を制御する通信制御部である。まず、通信制御部９０１を介して、位置登録要求メッセージ受信部９０２が、ＲＮからｅＮＢ経由で送信された１つの位置登録要求メッセージを受信する。この１つの位置登録要求メッセージには、所定期間内の複数のＵＥからの位置登録要求信号がまとめて含まれている。ＵＥ状態要求先判定部９０３は、各ＵＥについて前に位置登録していたＭＭＥを、ＵＥ状態(Context)の要求先と判定する。そして、それぞれのＭＭＥに対して、ＵＥ状態要求メッセージをＵＥ状態要求送信部９０４から送信する。
【００５９】
ＵＥ状態受信部９０５は、要求したＭＭＥからの応答されたＵＥ状態をＵＥＩＤに対応付けてＵＥ／ＲＮ位置登録部９０６に登録する。なお、本ＭＭＥが複数のＴＡをカバーする構成の場合は、ＵＥ／ＲＮ位置登録部９０６のＵＥ状態がそのまま継続して使用される。また、本実施形態では詳細に説明しないが、ＲＮの位置もＵＥ／ＲＮ位置登録部９０６にＲＮＩＤに対応付けて登録される（第３実施形態参照）。
【００６０】
ＵＥ／ＲＮ位置登録部９０６に位置登録とＵＥ状態の登録が完了すると、位置登録情報メッセージ送信部９０７は、完了した各ＵＥに対してｅＮＢおよびＲＮ経由で個別に、ＵＥＩＤに基づきＵＥへの位置登録要求受付信号となる位置登録情報メッセージを生成して送信する。
【００６１】
（ハードウェア構成）
図１０は、本実施形態に係る位置情報管理ノード（ＭＭＥ）２４０のハードウェア構成を示すブロック図である。
【００６２】
図１０で、ＣＰＵ１０１０は演算制御用のプロセッサであり、プログラムを実行することで図３の各機能構成部を実現する。ＲＯＭ１０２０は、初期データおよびプログラムなどの固定データおよびプログラムを記憶する。通信制御部９０１は、他のＭＭＥまたはｅＮＢと通信する。
【００６３】
ＲＡＭ１０４０は、ＣＰＵ１０１０が一時記憶のワークエリアとして使用するランダムアクセスメモリである。ＲＡＭ１０４０には、本実施形態の実現に必要なデータを記憶する領域が確保されている。１０４１は、通信制御部９０１を介してｅＮＢ経由でＲＮから受信した複数のＵＥからの位置登録要求信号を含む位置登録要求メッセージである。１０４２は、他のＭＭＥに各ＵＥのＵＥ状態(Context)を要求するためのＵＥ状態要求メッセージである。１０４３は、他のＭＭＥからの応答であるＵＥＩＤに対応付けられた受信ＵＥ状態である。１０４４は、各ＵＥに対して個別にｅＮＢおよびＲＮ経由で送信される位置登録位置登録情報メッセージである。
【００６４】
ストレージ１０５０は、データベースや各種のパラメータ、あるいは本実施形態の実現に必要な以下のデータまたはプログラムが記憶されている。９０６はＵＥ／ＲＮ位置登録部である。ストレージ１０５０には、以下のプログラムが格納される。１０５１は、全体の処理を実行させる通信処理プログラムである。１０５２は、通信処理プログラム１０５１において、ＵＥおよびＲＮの位置登録を制御する位置登録モジュールである。１０５３は、通信処理プログラム１０５１において、他のＭＭＥに対してＵＥ状態を要求するためのＵＥ状態要求モジュールである。
【００６５】
なお、図１０には、本実施形態に必須なデータやプログラムのみが示されており、ＯＳなどの汎用のデータやプログラムは図示されていない。
【００６６】
《位置登録ノードの処理手順》
図１１は、本実施形態に係る位置登録ノード（ＭＭＥ）２４０の処理手順を示すフローチャートである。このフローチャートは、図１０のＣＰＵ１０１０がＲＡＭ１０４０を使用しながら実行することで、図９の各機能構成部を実現する。
【００６７】
まず、ステップＳ１１１１において、ｅＮＢ経由のＲＮからの位置登録要求メッセージの受信であるか否かを判定する。また、ステップＳ１１２１において、他のＭＭＥからのＵＥ状態要求に応答するＵＥ状態の受信か否かを判定する。さらに、ステップＳ１１３１において、他のＭＭＥからのＵＥ状態の要求の受信であるか否かを判定する。
【００６８】
ＲＮからの位置登録要求メッセージの受信であればステップＳ１１１３に進んで、位置登録要求メッセージからＲＮまたは複数のＵＥの各ＵＥのメッセージを解析する。そして、ステップＳ１１１５において、他のＭＭＥにＵＥ状態を要求すべきか否かを判定する。要求の必要がない場合、処理は終了する。要求の必要があればステップＳ１１１７に進んで、ＵＥ状態要求メッセージを対応するＭＭＥに送信する。
【００６９】
他のＭＭＥからのＵＥ状態応答であればステップＳ１１２３に進んで、受信したＵＥ状態をＵＥＩＤに対応付けてＵＥ／ＲＮ位置登録部９０６に記憶する。そして、ステップＳ１１２５において、位置登録情報メッセージを生成して、位置登録の完了をＵＥＩＤに示すＵＥに対してｅＮＢおよびＲＮ経由で各ＵＥに対して個別に送信する。
【００７０】
他のＭＭＥからのＵＥ状態の要求を受信であればステップＳ１１３３に進んで、ＵＥＩＤに対応するＵＥ状態を読み出す。そして、ステップＳ１１３５において、要求した他のＭＭＥに対してＵＥ状態を応答送信する。どの受信メッセージでもなければ、そのメッセージに対応する他のＭＭＥの処理、例えは認証処理などを実行する。
【００７１】
［第３実施形態］
次に、本発明の第３実施形態に係る通信処理システムについて説明する。本実施形態に係る通信処理システムは、移動中継局のＴＡ移動後の所定期間内に位置登録要求メッセージを送信した移動局を、移動中継局配下の移動局として登録更新する。同時に、第２実施形態のように所定期間にＵＥから受信した位置登録要求信号をまとめてＭＭＥに送信するのではなくて、ＲＮがＴＡ間移動を検出すると、現在その配下として登録されているすべてのＵＥのＵＥＩＤを含むＲＮの位置登録要求メッセージを送信する。本実施形態によれば、移動中継局が移動局の変化に即応するので不必要な位置登録処理を削減できる。また、現在その配下として登録されているすべてのＵＥのＵＥＩＤをまとめて送信するので、通信データ量を削減してさらに上位局の負荷を抑えることができる。
【００７２】
なお、通信処理システムの構成は図２Ｂと同様であるので、重複を避けて説明は省略し、以下その動作手順を説明する。
【００７３】
《通信処理システムの動作手順》
図１２は、本実施形態に係る通信処理システムの動作手順１２００を示すシーケンス図である。図１２においては、図３と同様に、ＲＮ＃１がＭＭＥ＃１／ｅＮＢ＃１のエリアからＭＭＥ＃２／ｅＮＢ＃２のエリアへ移動したものと仮定する。
【００７４】
まず、ステップＳ１２０１において、ＲＮ＃１は、ｅＮＢ＃２のシステム報知情報から新ＴＡ＃２に移動したことを検出すると、位置登録タイマをスタートする。そして、ＲＮ＃１は、新ＴＡ＃２の情報（ＭＭＥ＃２のＴＡ情報）を配下の移動局に対して報知する。ＲＮ＃１の配下の各ＵＥ２１１〜２１３は、ＲＮ＃１から報知されるシステム情報を受信し、新ＴＡ＃２を検出した場合は位置登録要求信号をＲＮ＃１へ送信する。例えば、ステップＳ１２０３においてはＵＥ２１３が位置登録要求信号を送信し、ステップＳ１２０５においてはＵＥ２１２が位置登録要求信号を送信し、ステップＳ１２０７においてはＵＥ２１１が位置登録要求信号を送信する。
【００７５】
位置登録タイマの動作中に位置登録要求信号を送信した送信元のＵＥＩＤである２１１〜２１３を、現在ＲＮ＃１の配下に有るＵＥとして記憶する。ステップＳ１２０９においてＲＮ＃１のタイマがタイムアウトすると、ステップＳ１２１１において、記憶してきたＵＥＩＤをＲＮ＃１の配下のＵＥを示す情報として登録する。そして、次のＴＡ移動までの間、ＲＮ＃１の処理においては、ステップＳ１２１１において登録したＵＥＩＤを配下のＵＥを示す情報として使用する。
【００７６】
その後、ステップＳ１２２１においてＲＮ＃１が再びＴＡ間移動を検出すると、ステップＳ１２２３において、ＲＮ＃１の位置登録要求メッセージに現在ＲＮ＃１の配下に有ると登録されているＵＥ２１１〜２１３のＵＥＩＤを含ませて、ｅＮＢ＃２経由でＭＭＥ＃２に送信する。ここで、送信する位置登録要求メッセージは図４と同様であるので、ここでの説明は省略する。
【００７７】
同時にステップＳ１２２５において位置登録タイマをスタートする。そして、ステップＳ１２３１においてタイムアウトするまでのＵＥからの位置登録要求信号を、ステップＳ１２３３において次の配下のＵＥとして登録する。図１２においては、ステップＳ１２２７においてＵＥ２１２から位置登録要求信号を受信し、ステップＳ１２２９においてＵＥ２１３から位置登録要求信号を受信している。したがって、ステップＳ１２３３において配下に有ると登録されるのはＵＥ２１２と２１３とである。ＵＥ２１１は電源ＯＦＦや圏外への移動などで位置登録要求信号を送信しなかった、あるいはＲＮ＃１が受信しなかったため、ＲＮ＃１の配下として登録されない。
【００７８】
なお、ステップＳ１２２３において、ＲＮ＃１の位置登録要求メッセージに現在ＲＮ＃１の配下に有ると登録されているＵＥ２１１〜２１３のＵＥＩＤを含ませて送信した後のＭＭＥ＃２の位置登録とＵＥへの位置登録要求受付信号の返信は、図３と同様であるので省略する。
【００７９】
《移動中継局の処理手順》
図１３は、本実施形態に係る移動中継局（ＲＮ）の処理手順を示すフローチャートである。なお、ＲＮの構成は、第２実施形態の図６および図７から想到可能であるので、詳細は省略する。このフローチャートは、図８と同様に、図７のＣＰＵ７１０によりＲＡＭ７４０を使用しながら実行されて、各機能構成部を実現する。
【００８０】
まず、ステップＳ１３１１において、ＴＡ移動か否かを判定する。また、ステップＳ１３２１において、ＵＥからの位置登録要求信号の受信か否かを判定する。また、ステップＳ１３３１において、ｅＮＢ経由のＭＭＥからの位置登録情報メッセージか否かを判定する。
【００８１】
ＴＡ移動と判定されるとステップＳ１３１３に進んで、ＲＮの位置登録要求メッセージに配下として登録されているＵＥＩＤを加えて、ｅＮＢ経由でＭＭＥに送信する。次に、ステップＳ１３１５において、タイマ６０５をスタートさせる。
【００８２】
ＵＥからの位置登録要求信号の受信と判定されるとステップＳ１３２３に進んで、タイマ６０５のタイムアウトか否かを判定する。タイムアウトでなければステップＳ１３２５に進んで、ＵＥＩＤを記憶する。タイムアウトであればステップＳ１３２７に進んで、タイムアウトの間に記憶されたＵＥＩＤのＵＥを配下として登録保持する。
【００８３】
ｅＮＢ経由のＭＭＥからの位置登録情報メッセージであればステップＳ１３３３に進んで、位置登録要求受付信号を指定された個別のＵＥに送信する。
【００８４】
なお、本実施形態においては、ＴＡ間移動時のＵＥからの位置登録要求信号によって、まとめて送信する配下のＵＥＩＤを設定したが、ＲＮはＩＭＳＩ(International Mobile Subscriber Identity)やＳ−ＴＭＳＩ(SAE Temporary Mobile Subscriber Identity)としてもＵＥＩＤを持っているので、このＩＤリストを使用してもよい。
【００８５】
［第４実施形態］
次に、本発明の第４実施形態に係る通信処理システムについて説明する。本実施形態に係る通信処理システムは、第２実施形態のようにＭＭＥからの位置登録受付信号を各ＵＥについて位置登録が完了した順に送信するのではなく、すべてのＵＥについて位置登録が完了した時点でまとめて１つの位置登録情報メッセージによってＲＮに通知する。そして、ＲＮが各ＵＥに位置登録受付信号を送信する。本実施形態によれば、第２実施形態および第３実施形態と同様に、移動中継局が移動局の変化に即応するので不必要な位置登録処理を削減できる。また、ＵＥの位置登録要求をまとめて送信するので、通信データ量を削減してさらに上位局の負荷を抑えることができる。さらに、ＭＭＥからの位置登録受付信号もまとめて送信するので、通信データ量をさらに削減できる。
【００８６】
なお、通信処理システムの構成は図２Ｂと同様であるので、重複を避けて説明は省略し、以下その動作手順を説明する。
【００８７】
《通信処理システムの動作手順》
図１４は、本実施形態に係る通信処理システムの動作手順を示すシーケンス図である。なお、図１４のステップＳ３０１からＳ３１９までは、第２実施形態の図３と同様の手順であるので説明を省略する。
【００８８】
ステップＳ１４２１〜Ｓ１４２５において、各ＵＥ別にＥＵ状態がＭＭＥ＃１または他のＭＭＥから応答されるが、ＭＭＥ＃２はその都度、位置登録受付信号のための位置登録情報メッセージを送信せずにバッファする。そして、すべてのＵＥの位置登録が完了すると、ステップＳ１４２７において、すべてのＵＥに対する位置登録受付信号を含む１つの位置登録情報メッセージを生成して、ｅＮＢ＃２経由でＲＮ＃１に送信する。ＲＮ＃１は、受信した１つの位置登録情報メッセージに基づいて、ステップＳ１４２９〜Ｓ１４３３において配下のすべてのＵＥに対して位置登録受付信号を送る。
【００８９】
《位置情報メッセージ》
図１５は、本実施形態に係るダウンリンクの位置登録情報メッセージ１５００の構成を示す図である。
【００９０】
図１５は、３ＧＰＰ標準であるＴＳ３６．４１３に規定済みのＤＯＷＮＬＩＮＫ  ＮＡＳ  ＴＲＡＮＳＰＯＲＴメッセージにさらにＮＡＳ−ＰＤＵのリスト(NAS-PDUList）１５０１を追加したものである。１５０２はＮＡＳ−ＰＤＵのリスト１５０１の“Ｒａｎｇｅ”の値“maxnoofNAS-PDUs”の定義である。
【００９１】
［他の実施形態］
なお、上記実施形態においては、列車などの移動体に配置された移動中継局(ＲＮ）のＴＡ間の移動を例に説明した。しかし、本発明は、ＲＮをｅＮＢだけではカバーできない位置に配置する場合や、ビルなどの部屋、あるいは催し会場のブースなどで一時的に使用する場合に適用してもよい。又、上記実施形態においては、ＮＡＳプロトコルのメッセージの使用により説明したが、Initial UE Message、S1 SETUP REQUEST message、ENB CONFIGURATION UPDATE message、UE CAPABILITY INFO INDICATION messageのいずれかを使用しても実現可能である。
【００９２】
以上、本発明の実施形態について詳述したが、それぞれの実施形態に含まれる別々の特徴を如何様に組み合わせたシステムまたは装置も、本発明の範疇に含まれる。
【００９３】
また、本発明は、複数の機器から構成されるシステムに適用されてもよいし、単体の装置に適用されてもよい。さらに、本発明は、実施形態の機能を実現する制御プログラムが、システムあるいは装置に直接あるいは遠隔から供給される場合にも適用可能である。したがって、本発明の機能をコンピュータで実現するために、コンピュータにインストールされる制御プログラム、あるいはその制御プログラムを格納した媒体、その制御プログラムをダウンロードさせるＷＷＷ(World Wide Web)サーバも、本発明の範疇に含まれる。
【００９４】
［実施形態の他の表現］
上記の実施形態の一部または全部は、以下の付記のようにも記載されうるが、以下には限られない。
【００９５】
（付記１）
移動局と、基地局と、前記移動局と前記基地局とを中継する移動中継局とを含む通信処理システムであって、
前記移動中継局が、
トラッキングエリアの間を移動したことを検出してから所定期間を計時する計時手段と、
前記所定期間内に前記移動中継局が受信した、位置情報を管理する位置情報管理手段への位置登録要求信号の送信元の移動局を、前記移動中継局の配下にあるとして登録する移動局登録手段と、
を備えることを特徴とする通信処理システム。
（付記２）
前記移動中継局は、
前記移動中継局がトラッキングエリアの間を移動した後、各移動局から送信された移動局の位置登録要求信号をバッファリングするバッファ手段と、
前記所定期間内に前記バッファ手段がバッファリングした複数の前記移動局の位置登録要求信号を１つの位置登録要求メッセージにまとめて、前記位置情報管理手段に送信する位置登録要求メッセージ送信手段と、
をさらに備えることを特徴とする付記１に記載の通信処理システム。
（付記３）
前記移動中継局は、
前記移動中継局の配下として登録された各移動局を識別する識別子を含む移動中継局の位置登録要求メッセージを生成するメッセージ生成手段と、
前記移動中継局がトラッキングエリアの間を移動した後、前記メッセージ生成手段が生成した前記移動局の識別子を含む前記移動中継局の位置登録要求メッセージを、前記位置情報管理手段に送信する位置登録要求メッセージ送信手段と、
をさらに備えることを特徴とする付記１に記載の通信処理システム。
（付記４）
前記位置情報管理手段は、前記移動中継局からの位置登録要求メッセージに応答し、各移動局に対する位置登録処理が終了した順に位置登録情報メッセージを前記各移動局に送信する位置登録情報メッセージ送信手段を備えることを特徴とする付記１乃至３のいずれか１項に記載の通信処理システム。
（付記５）
前記位置情報管理手段の前記位置登録処理は、トラッキングエリアの移動の前に前記移動局が位置登録していた位置情報管理手段から当該位置情報管理手段へ、当該移動局の情報を送信する処理を含むことを特徴とする付記４に記載の通信処理システム。
（付記６）
前記位置情報管理手段から前記移動局への位置登録情報メッセージとして、３ＧＰＰのＴＳ３６．４１３に規定されたＤＯＷＮＬＩＮＫ＿ＮＡＳ＿ＴＲＡＮＳＰＯＲＴメッセージを使用することを特徴とする付記４または５に記載の通信処理システム。
（付記７）
前記移動中継局から前記位置情報管理手段への位置登録要求メッセージとして、３ＧＰＰのＴＳ３６．４１３に規定されたＵＰＬＩＮＫ＿ＮＡＳ＿ＴＲＡＮＳＰＯＲＴメッセージを使用することを特徴とする付記１乃至６のいずれか１項に記載の通信処理システム。
（付記８）
前記位置情報管理手段から前記移動局への位置登録情報メッセージ、又は、前記移動中継局から前記位置情報管理手段への位置登録要求メッセージとして、Initial UEメッセージ、S1 SETUP REQUESTメッセージ、ENB CONFIGURATION UPDATEメッセージ、UE CAPABILITY INFO INDICATIONメッセージメッセージのいずれかを使用することを特徴とする付記１乃至７のいずれか１項に記載の通信処理システム。
（付記９）
移動局と、基地局と、前記移動局と前記基地局とを中継する移動中継局とを含む通信処理システムにおける位置登録方法であって、
前記移動中継局が、トラッキングエリアの間を移動したことを検出してから所定期間を計時する計時ステップと、
前記移動中継局が、前記所定期間内に受信した、位置情報を管理する位置情報管理手段への位置登録要求信号の送信元の移動局を、前記移動中継局の配下にあるとして登録する移動局登録ステップと、
前記移動中継局が、前記所定期間内に前記移動局から受信した複数の位置登録要求信号を、１つの位置登録要求メッセージで前記位置情報管理手段に送信する送信ステップと、
を含むことを特徴とする位置登録方法。
（付記１０）
移動局と基地局とを中継する移動中継局であって、
前記移動中継局がトラッキングエリアの間を移動したことを検出してから所定期間を計時する計時手段と、
前記所定期間内に前記移動中継局が受信した、位置情報を管理する位置情報管理手段への位置登録要求信号の送信元の移動局を、前記移動中継局の配下にあるとして登録する移動局登録手段と、
を備えることを特徴とする移動中継局。
（付記１１）
移動局と基地局とを中継する移動中継局の制御方法であって、
前記移動中継局がトラッキングエリアの間を移動したことを検出してから所定期間を計時する計時ステップと、
前記所定期間内に前記移動中継局が受信した、位置情報を管理する位置情報管理手段への位置登録要求信号の送信元の移動局を、前記移動中継局の配下にあるとして登録する移動局登録ステップと、
を含むことを特徴とする移動中継局の制御方法。
（付記１２）
移動局と基地局とを中継する移動中継局の制御プログラムであって、
前記移動中継局がトラッキングエリアの間を移動したことを検出してから所定期間を計時する計時ステップと、
前記所定期間内に前記移動中継局が受信した、位置情報を管理する位置情報管理手段への位置登録要求信号の送信元の移動局を、前記移動中継局の配下にあるとして登録する移動局登録ステップと、
をコンピュータに実行させることを特徴とする移動中継局の制御プログラム。
（付記１３）
移動局のトラッキングエリアの間の移動を管理する位置情報管理装置であって、
複数の移動局のトラッキングエリアの間の移動に対応して、前記複数の移動局の位置登録要求を１つの位置登録要求メッセージで受信する受信手段と、
前記複数の移動局の位置登録を実行する位置登録手段と、
前記複数の移動局の各移動局の位置登録が完了した順に、前記各移動局に対して位置登録か完了した旨の位置登録情報メッセージを送信する送信手段と、
を備えることを特徴とする位置情報管理装置。
（付記１４）
移動局のトラッキングエリアの間の移動を管理する位置情報管理装置の制御方法であって、
複数の移動局のトラッキングエリアの間の移動に対応して、前記複数の移動局の位置登録要求を１つの位置登録要求メッセージで受信する受信ステップと、
前記複数の移動局の位置登録を実行する位置登録ステップと、
前記複数の移動局の各移動局の位置登録が完了した順に、前記各移動局に対して位置登録か完了した旨の位置登録情報メッセージを送信する送信ステップと、
を含むことを特徴とする位置情報管理装置の制御方法。
（付記１５）
移動局のトラッキングエリアの間の移動を管理する位置情報管理装置の制御プログラムであって、
複数の移動局のトラッキングエリアの間の移動に対応して、前記複数の移動局の位置登録要求を１つの位置登録要求メッセージで受信する受信ステップと、
前記複数の移動局の位置登録を実行する位置登録ステップと、
前記複数の移動局の各移動局の位置登録が完了した順に、前記各移動局に対して位置登録か完了した旨の位置登録情報メッセージを送信する送信ステップと、
をコンピュータに実行させることを特徴とする制御プログラム。
【図１】
0005769008.tif 000002
【図２Ａ】
0005769008.tif 000003
【図２Ｂ】
0005769008.tif 000004
【図３】
0005769008.tif 000005
【図４】
0005769008.tif 000006
【図５】
0005769008.tif 000007
【図６】
0005769008.tif 000008
【図７】
0005769008.tif 000009
【図８】
0005769008.tif 000010
【図９】
0005769008.tif 000011
【図１０】
0005769008.tif 000012
【図１１】
0005769008.tif 000013
【図１２】
0005769008.tif 000014
【図１３】
0005769008.tif 000015
【図１４】
0005769008.tif 000016
【図１５】
0005769008.tif 000017